(57)【特許請求の範囲】
【請求項１】
機器の電源に第１のトランジスタのコレクタが接続され、この第１のトランジスタのエミッタが表示器の電源ラインに接続され、前記第１のトランジスタがマイコンの電源制御端子出力により制御され、前記第１のトランジスタのエミッタに第２のトランジスタのコレクタが接続され、この第２のトランジスタのエミッタが接地され、前記第２のトランジスタが前記マイコンのコントラスト端子出力により制御され、前記マイコンのキースキャン・表示データセグメント兼用端子が前記表示器のセグメント端子とキーに接続された表示器制御装置であって、
機器の電源がオンすると、前記マイコンの電源制御端子出力およびコントラスト端子出力が同時に“Ｈ”レベルとなって、前記第１のトランジスタおよび第２のトランジスタを同時にオンさせ、
機器の電源がオフすると、前記マイコンの電源制御端子出力およびコントラスト端子出力が同時に“Ｌ”レベルとなって、前記第１のトランジスタおよび第２のトランジスタを同時にオフさせ、
機器の電源オン状態において、前記マイコンのキースキャン・表示データセグメント兼用端子に表示データにより“Ｈ”レベルが出力されて前記表示器で表示が行われるときは、前記マイコンのコントラスト端子出力にパルス信号あるいは“Ｌ”レベルを出力して前記第２のトランジスタをオンオフ動作あるいはオフ状態に設定することにより、機器の電源から第１のトランジスタを介して表示器の電源ラインに電源電圧を供給し、前記表示器で表示が行われないときはコントラスト端子出力を“Ｈ”レベルに設定して前記第２のトランジスタをオンさせることにより、表示器の電源ラインに対する電源電圧供給を停止させる
ことを特徴とする表示器制御装置。
【発明の詳細な説明】
【０００１】
【発明の属する技術分野】
本発明は、オーディオ機器などに用いられ、ＦＬ管などからなる表示器の電源供給やコントラストなどをマイコンで制御する表示器制御装置に関する。
【０００２】
【従来の技術】
上記のような表示器制御装置の従来例を図１に示す。この図において、１０はマイコン、１１はマイコン１０の電源制御端子であり、この電源制御端子１１はＮＰＮ型の第１のトランジスタ３１のベースに接続される。第１のトランジスタ３１はコレクタが機器（この表示器制御装置が設けられる機器）の電源３２に接続される一方、エミッタが例えばＦＬ管からなる表示器２０の電源ライン２１に接続される。
【０００３】
１２はマイコン１０のコントラスト端子で、抵抗３３を介してＮＰＮ型の第２のトランジスタ３４のベースに接続される。この第２のトランジスタ３４のベースはコンデンサ３５を介して接地されるとともに、抵抗３６を介して接地される。第２のトランジスタ３４のコレクタは第１のトランジスタ３１のエミッタに接続され、第２のトランジスタ３４のエミッタは接地される。第２のトランジスタ３４のコレクタと接地間にはコンデンサ３７が接続される。
【０００４】
１３はマイコン１０のキースキャン・表示データセグメント兼用端子であり、表示器２０のセグメント端子２２に接続される。また、この兼用端子１３は、各種の情報を入力するキー４０の一方側端子に接続されており、キー４０の他方側端子はマイコン１０のキーリターン端子１４に接続される。
【０００５】
このように構成された表示器制御装置においては、この装置が設けられる機器の電源がオンすると、表示器２０やメカ、通信ラインなどに電源電圧を供給するためにマイコン１０の電源制御端子１１が“Ｈ”レベルとなる。
【０００６】
そして、マイコン１０の電源制御端子１１が“Ｈ”レベルになると、第１のトランジスタ３１がオンして電源３２から第２のトランジスタ３４の方に電流が流れる。このとき、マイコン１０のコントラスト端子１２が“Ｌ”レベルの場合は、第２のトランジスタ３４がオフ状態のため第１のトランジスタ３１からの電流は表示器２０の電源ライン２１の方に流れ、表示器２０に電源電圧が供給される。すなわち、表示器２０は表示可能状態となる。一方、コントラスト端子１２が“Ｈ”レベルのときは、第２のトランジスタ３４がオンして第１のトランジスタ３１からの電流は接地の方に流れてしまい、表示器２０の電源ライン２１の方には流れなくなり、表示器２０には電源電圧が供給されない。すなわち、表示器２０は表示不能状態となる。また、コントラスト端子１２がパルスを発生する場合は、第２のトランジスタ３４がオンオフ動作をするので間欠的に表示器２０の電源ライン２１方向に電流が流れ、パルスの“Ｌ”レベルと“Ｈ”レベルの時間の割合（デューティ比）で値が決まる電源電圧が表示器２０に供給される。この表示器２０の電源電圧の値で表示器２０の表示の濃さ（コントラスト）が決まる。したがって、コントラスト端子１２のパルスのデューティ比を変更することにより、表示器２０のコントラストを調整することができる。そして、コントラストを調整することにより、表示器２０を上方向から見やすくしたり、下方向から見やすくすることができる。このとき、表示器２０の電源電圧が高いほどコントラストは濃くなり、電源電圧が低いほどコントラストは薄くなる。電源電圧が０のときには表示はでない。
【０００７】
マイコン１０の兼用端子１３は、キースキャン端子あるいは表示データセグメント端子として動作する。いま、兼用端子１３が表示データセグメント端子として動作する場合は、表示データに対応して所望の兼用端子１３が“Ｈ”レベルとなり、“Ｈ”レベルの兼用端子１３に対応する表示器２０の表示部分が点灯する。一方、兼用端子１３がキースキャン端子として動作する場合は、キー状態を取り込みたいときに兼用端子１３を“Ｈ”レベルにして、そのときのキーリターン端子１４のレベル状態を判別することにより、キー４０が押下されているか、あるいは押下されていないか、すなわちキー４０の状態を取り込む。このように、キースキャン端子と表示データセグメント端子が兼用端子となっているのは、マイコン１０の端子数が限られているので、使用端子数を削減するためである。
【０００８】
さて、従来の上記表示器制御装置においては、図２に示すように、機器の電源の立ち上がりを検出すると（図２(Ａ)の▲１▼）、すぐに電源を供給するために電源制御端子１１が“Ｈ”レベルとなる（図２(Ｂ)の▲２▼）。その後、コントラスト端子１２にパルスを発生させる（図２（Ｃ）の▲３▼）。その後、表示データに対応して兼用端子１３が“Ｈ”レベルになれば表示器２０が点灯する（図２(Ｅ)の▲４▼）。また、兼用端子１３から表示データに対応する“Ｈ”レベルが出力されず、表示器２０に何も表示されていないとき（図２(Ｅ)の▲５▼〜▲６▼区間）も同様に、コントラスト端子１２にはパルスを発生させている（図２(Ｃ)の▲５▼〜▲６▼区間）。したがって、表示器２０に何も表示されていないときでも表示器２０に電源電圧が供給されて（図２(Ｆ)の▲５▼〜▲７▼区間）、表示器２０は表示可能状態にある。キー状態取り込み処理は、機器の電源オン状態では常に実施される。機器の電源が立ち下がる（図２(Ａ)の▲６▼）と、コントラスト端子１２を“Ｌ”レベルに落としてから（図２(Ｃ)の▲６▼）、電源制御端子１１を“Ｌ”レベルに立ち下げる（図２(Ｂ)の▲７▼）。
【０００９】
【発明が解決しようとする課題】
しかしながら、上記のような従来の表示器制御装置では、マイコン１０の兼用端子１３に表示器２０のセグメント端子２２とキー４０とを共通に接続しているため、キー状態取り込み処理により表示器２０に不必要に点灯（表示）が発生する問題点があった。すなわち、通常は、表示可能状態（表示器２０に電源電圧が供給されている状態）のときに、表示データに対応してマイコン１０の兼用端子１３が“Ｈ”レベルになることで表示器２０が表示動作をする。一方、兼用端子１３に表示データによる“Ｈ”レベルが出力されず、表示器２０が表示動作を行っていないときにも、イジェクト動作などを行うためにキー状態取り込み処理を行っており（機器の電源オン中は常にキー状態取り込み処理を行っている）、兼用端子１３にはキー状態取り込み処理による“Ｈ”レベルが出力される。すると、この“Ｈ”レベルで表示器２０のセグメント端子２２側に電流が流れてしまう。このとき、マイコン１０のコントラスト端子１２からパルスが発生していて、表示器２０が表示可能状態であるため、キー状態取り込み処理で“Ｈ”レベルの兼用端子１３に対応する表示器内の表示部分に表示が発生してしまう。
【００１０】
また、マイコン１０の電源制御端子１１を“Ｈ”レベルに立ち上げてからコントラスト端子１２にパルスが発生するまでの間（図２の▲２▼〜▲３▼区間）および、機器の電源の立ち下がりを検出してコントラスト端子１２からのパルスの発生を停止させてから、電源制御端子１１を“Ｌ”レベルに立ち下げるまでの間（図２の▲６▼〜▲７▼区間）は、電源制御端子１１が“Ｈ”レベル（第１のトランジスタ３１がオン）で、コントラスト端子１２が“Ｌ”レベル（第２のトランジスタ３４がオフ）であるため、機器の電源電圧がそのまま表示器２０に電源電圧として供給される。よって、表示器２０は表示可能状態となっている。その間にも、キー状態取り込み処理が行われているため、キー状態取り込み処理で“Ｈ”レベルの兼用端子１３に対応する表示器内の表示部分に表示が発生してしまう。
【００１１】
本発明は上記の点に鑑みなされたもので、キー状態取り込み処理など表示データ以外の要因で表示器に表示が発生することを防止できる表示器制御装置を提供することを目的とする。
【００１２】
【課題を解決するための手段】
本発明の表示器制御装置は、機器の電源に第１のトランジスタのコレクタが接続され、この第１のトランジスタのエミッタが表示器の電源ラインに接続され、前記第１のトランジスタがマイコンの電源制御端子出力により制御され、前記第１のトランジスタのエミッタに第２のトランジスタのコレクタが接続され、この第２のトランジスタのエミッタが接地され、前記第２のトランジスタが前記マイコンのコントラスト端子出力により制御され、前記マイコンのキースキャン・表示データセグメント兼用端子が前記表示器のセグメント端子とキーに接続された表示器制御装置であって、機器の電源がオンすると、前記マイコンの電源制御端子出力およびコントラスト端子出力が同時に“Ｈ”レベルとなって、前記第１のトランジスタおよび第２のトランジスタを同時にオンさせ、機器の電源がオフすると、前記マイコンの電源制御端子出力およびコントラスト端子出力が同時に“Ｌ”レベルとなって、前記第１のトランジスタおよび第２のトランジスタを同時にオフさせ、機器の電源オン状態において、前記マイコンのキースキャン・表示データセグメント兼用端子に表示データにより“Ｈ”レベルが出力されて前記表示器で表示が行われるときは、前記マイコンのコントラスト端子出力にパルス信号あるいは“Ｌ”レベルを出力して前記第２のトランジスタをオンオフ動作あるいはオフ状態に設定することにより、機器の電源から第１のトランジスタを介して表示器の電源ラインに電源電圧を供給し、前記表示器で表示が行われないときはコントラスト端子出力を“Ｈ”レベルに設定して前記第２のトランジスタをオンさせることにより、表示器の電源ラインに対する電源電圧供給を停止させることを特徴とする。
【００１５】
【発明の実施の形態】
次に添付図面を参照して本発明による表示器制御装置の実施の形態を詳細に説明する。本発明の実施の形態における回路構成は図１の従来例と同一である。そこで、回路構成に関しては説明を省略する。
【００１６】
本発明の実施の形態は、図３に示すように、マイコン１０による第２のトランジスタ３４の制御方法が従来の装置と異なる。すなわち、本発明の実施の形態では、図３の▲３▼〜▲４▼区間に示すように、マイコン１０の兼用端子１３に表示データにより“Ｈ”レベルが出力されて（図３(Ｄ)）表示器２０で表示が行われるとき（図３(Ｅ)）のみ、マイコン１０のコントラスト端子１２からパルスを発生させて（図３(Ｃ)）第２のトランジスタ３４をオンオフ動作させ、パルスのデューティ比で決まる値の電源電圧を表示器２０に供給し（図３(Ｆ)）、表示器２０を表示可能状態とする。
【００１７】
一方、機器の電源（図３(Ａ)）のオン状態においてその他のとき（表示器２０で表示動作を行わないときであり、図３においては▲２▼〜▲３▼区間および▲４▼〜▲６▼区間）は、マイコン１０のコントラスト端子１２から“Ｈ”レベルを出力させて（図３(Ｃ)）第２のトランジスタ３４をオンさせることにより、第１のトランジスタ３１出力の電源電圧が表示器２０に電源電圧として供給されないようにして（図３(Ｆ)）、表示器２０を表示不能状態とする。
【００１８】
また、図３(Ｃ)に示すコントラスト端子１２の“Ｈ”レベルは、機器の電源がオフしたとき（図３(Ａ)の▲５▼）、電源制御端子１１の“Ｌ”レベルへの変化（図３(Ｂ)の▲６▼）と同期して“Ｌ”レベルに変化する（図３(Ｃ)の▲６▼）。
【００１９】
このような制御方法によれば、表示器２０が表示動作を行うときのみ表示器２０が表示可能状態となり、表示器２０が表示を行わないときは表示器２０が表示不能状態となるので、この表示を行わないときにキー状態取り込み処理が実施されてマイコン１０の兼用端子１３が“Ｈ”レベルになっても、その“Ｈ”レベルで表示器２０が点灯することはない。すなわち、キー状態取り込み処理により表示器２０に不必要な点灯（表示）が発生することを防止できる。また、機器の電源オフのとき、コントラスト端子１２は“Ｌ”レベルになるため、マイコン１０の消費電力が増加することはない。
【００２０】
上記のような制御方法を図４のフローチャートを参照してより詳細に説明すると次の通りである。機器の電源状態を監視(ステップＳ１)して、現在の電源状態がオン(ステップＳ１)、直前の電源状態がオフ(ステップＳ２)で、いま電源のオン（電源の立ち上がり）をステップＳ７で検出した場合は、ステップＳ８で示すように電源制御端子１１を“Ｈ”レベル、コントラスト端子１２を“Ｈ”レベルに同時に設定し（図３(Ｂ)，(Ｃ)の▲２▼参照）、キー状態取り込み処理を開始させる。このとき、コントラスト端子１２が“Ｈ”レベルで、第２のトランジスタ３４がオン状態なので、表示器２０の電源ライン２１には電源電圧が供給されず、表示器２０は表示不能状態にある。そのため、キー状態取り込み処理を行っても表示器２０に表示（点灯）が発生することはない。
【００２１】
一方、機器の電源状態を監視(ステップＳ１)して、現在の電源状態がオフ(ステップＳ１)、直前の電源状態がオン(ステップＳ９)で、いま電源のオフ（電源の立ち下がり）をステップＳ１０で検出した場合は、ステップＳ１１で示すように電源制御端子１１を“Ｌ”レベル、コントラスト端子１２を“Ｌ”レベルに同時に設定し（図３(Ｂ)，(Ｃ)の▲６▼参照）、キー状態取り込み処理を終了させる。
【００２２】
また、現在（ステップＳ１）と直前（ステップＳ２）の電源がオンで機器の電源がオン状態のときは、ステップＳ３およびＳ４で示すように表示器２０の表示状態を監視し、表示がオン（図３(Ｅ)の▲３▼〜▲４▼区間）になったらステップＳ５で示すようにコントラスト端子１２からパルスを発生させる（図３(Ｃ)の▲３▼〜▲４▼区間）。すると、第２のトランジスタ３４がオンオフ動作して表示器２０の電源ライン２１に電源電圧が供給される（図３(Ｆ)の▲３▼〜▲４▼区間）。よって、表示器２０が表示可能状態となる。一方、表示器２０の表示がオフになった場合（図３(Ｅ)の▲４▼〜▲６▼区間）は、コントラスト端子１２のパルス出力を停止させて、コントラスト端子１２をステップＳ６で示すように“Ｈ”レベルに設定する（図３(Ｃ)の▲４▼〜▲６▼区間）。すると、第２のトランジスタ３４がオンして、表示器２０の電源ライン２１には電源電圧が供給されなくなり（図３(Ｆ)の▲４▼〜▲６▼区間）、表示器２０は表示不能状態になる。したがって、このときキー状態取り込み処理を行っても表示器２０に表示（点灯）が発生することはない。
【００２３】
なお、以上の実施の形態は、表示器２０の表示時、マイコン１０の端子１２からパルスが出力されてコントラスト機能を有する場合を説明したが、端子１２から“Ｌ”レベル固定の信号を出力して、第２のトランジスタ３４をオフ状態に固定して表示器２０に電源電圧を供給するようにすることもできる。また、上記の実施の形態は、キー状態取り込み処理により表示器に不必要な点灯（表示）が発生することを防止する場合であるが、本発明によれば、その他の要因による表示器の不必要な点灯も防止できる。さらに、表示器２０は一具体例としてＦＬ管と記したが、これに限定されるものではない。
【００２４】
【発明の効果】
以上詳細に説明したように本発明の表示器制御装置によれば、表示器で表示が行われるときのみ表示器に電源電圧が供給されて表示器が表示可能状態になるようにしたので、表示器で表示が行われないときにキー状態取り込み処理など表示データ以外の要因で表示器に表示が発生することを防止できる。
【図面の簡単な説明】
【図１】表示器制御装置を示す回路図。
【図２】従来の表示器制御装置の動作を説明するための波形図。
【図３】本発明による表示器制御装置の実施の形態における動作を説明するための波形図。
【図４】本発明による表示器制御装置の実施の形態における動作を説明するためのフローチャート。
【符号の説明】
１０  マイコン
２０  表示器
３１  第１のトランジスタ
３２  機器の電源
３４  第２のトランジスタ
【図１】
0003639540.tif 000002
【図２】
0003639540.tif 000003
【図３】
0003639540.tif 000004
【図４】
0003639540.tif 000005